(57)【要約】【課題】閉塞部の圧力値を安定させることができる陰圧治療装置を提供する。【解決手段】陰圧治療装置１０は、創傷部１２を覆って閉塞部１４を形成する被覆材１６、閉塞部１４から廃液１８を排出するための吸引流路Ｔ１、廃液１８を吸引流路Ｔ１に吸引するための吸引手段２０、廃液１８を収容する収容容器２２、閉塞部１４の圧力を測定する圧力測定手段ＰＳを備える。閉塞部１４の圧力を目標値Ｐ０にするために、制御装置３６を備える。制御装置３６は、制御手段３８、変動有無判断手段４０、制御禁止手段４２および解除手段４４を備える。【選択図】図１
2016043178.tif 000002
【特許請求の範囲】
【請求項１】
創傷部を覆って閉塞部を形成する被覆材と、
前記閉塞部から廃液が排出される吸引流路と、
前記吸引流路を通じて廃液を吸引する吸引手段と、
前記吸引流路の途中に配置され、廃液を収容する収容容器と、
前記閉塞部の圧力を測定する圧力測定手段と、
前記圧力測定手段で測定された圧力値から、閉塞部の圧力が目標値になるように吸引手段の吸引力を制御する制御手段と、
前記圧力測定手段で測定された圧力値から第１所定時間内の圧力変動速度を算出し、該圧力変動速度と第１所定値を比較することにより圧力変動の有無を判断する変動有無判断手段と、
前記変動有無判断手段により、圧力変動が無い状態から有る状態に変化したと判断された場合に、制御手段に対して吸引手段の吸引力を変更することを禁止する制御禁止手段と、
を備えたことを特徴とする陰圧治療装置。
【請求項２】
前記変動有無判断手段における前記圧力変動速度の算出方法が、
第１所定時間内における圧力値の最大値と最小値の差、または第１所定時間内の最初と最後の圧力値の差の絶対値のいずれかから算出する請求項１の陰圧治療装置。
【請求項３】
前記制御禁止手段により前記吸引手段の吸引力を変更することを禁止された後、前記圧力測定手段で測定された圧力値が、第２所定時間以上連続して前記目標値よりも前記第２所定値以上外れている場合、または前記目標値から一定値以上離れた場合に、前記制御禁止手段による禁止を解除する解除手段を備えた請求項１または２の陰圧治療装置。
【請求項４】
前記閉塞部を大気圧空間に対して遮断または開放し、前記制御手段によって開閉が制御される開放弁を備え、
前記制御禁止手段は、前記変動有無判断手段により、圧力変動が無い状態から有る状態に変化したと判断された場合に、制御手段に対して開放弁を開閉することを禁止する
請求項１または２の陰圧治療装置。
【請求項５】
前記制御禁止手段により前記吸引手段の吸引力を変更することを禁止、前記開放弁を開閉することを禁止、またはその両方が禁止された後、前記圧力測定手段で測定された圧力値が、第２所定時間以上連続して前記目標値よりも前記第２所定値以上外れている場合、または前記目標値から一定値以上離れた場合に、前記制御禁止手段による禁止を解除する解除手段を備えた請求項４の陰圧治療装置。
【請求項６】
前記創傷部に供給される液体が入れられた液体容器と、
前記液体容器から閉塞部へ液体が流れる供給流路と、
を備えた請求項１から５のいずれかの陰圧治療装置。
【発明の詳細な説明】
【技術分野】
【０００１】
本発明は、創傷部を陰圧に保持して治療する陰圧治療装置に関するものである。
【背景技術】
【０００２】
従来、創傷部を治療するために、創傷部を陰圧に保持して治療する陰圧治療装置がある。下記特許文献１の陰圧治療装置１００は、図６に示すように、創傷部１２を覆って閉塞部１４を形成する被覆材１６、閉塞部１４から廃液１８を排出するための吸引流路Ｔ１、吸引流路Ｔ１を通じて廃液１８を吸引する吸引手段２０、廃液１８を収容する収容容器２２を備える。また、閉塞部１４の圧力を測定する圧力測定手段ＰＳ、圧力測定手段ＰＳを閉塞部１４に接続するためのセンシング流路Ｔ２、閉塞部１４の圧力を大気開放する開放弁ＳＶを備える。吸引手段２０の吸引力と開放弁ＳＶの開閉は制御手段３８によって制御される。
【０００３】
開放弁ＳＶを閉じた状態で、吸引手段２０が閉塞部１４を吸引することで、閉塞部１４を所望の陰圧値にする。創傷部１２から生じた老廃物や滲出液が廃液１８として吸引流路Ｔ１を通って収容容器２２に収容される。
【０００４】
閉塞部１４にリークが生じた場合、閉塞部１４に空気が入り込み、閉塞部１４の圧力が陽圧側に変動する。それらの変動分を吸引手段２０で吸引し、閉塞部１４を所望の陰圧値で維持されるようにする。
【０００５】
吸引手段２０で吸引しすぎると、閉塞部１４が過陰圧になり、創傷部１２にダメージを与えるおそれがある。過陰圧になると、吸引手段２０を停止させ、開放弁ＳＶを開放し、閉塞部１４に大気を導入する。閉塞部１４の圧力が陽圧側に変動するため、所望の陰圧値まで戻すことができる。
【０００６】
患者の動きなどによって閉塞部１４の位置が変化したり、吸引流路Ｔ１内の排液１８が移動すると、圧力測定手段ＰＳで測定される圧力値が一時的に変化する。この変化は、大きく波打ち、すぐに所望の陰圧値に戻る場合がある。この一時的な変化に過敏に反応して吸引手段２０の吸引力を変化させたり、開放弁ＳＶの開閉動作をさせると、圧力値の一時的な変化が治まった時に閉塞部１４の圧力値が所望の陰圧値と大きく異なるおそれがある。
【０００７】
過敏に反応して吸引手段２０で吸引すると開放弁ＳＶを開放する必要があり、開放弁ＳＶを開放した場合は吸引力を上げる必要がある。一時的な変化に反応して吸引手段２０または開放弁ＳＶを制御した場合には、所望の陰圧値に戻すために時間を要することになる。また、過敏に反応して吸引手段２０で吸引した場合には、閉塞部１４が過陰圧になり、創傷部１２にダメージを与えるおそれもある。
【先行技術文献】
【特許文献】
【０００８】
【特許文献１】特許３８５９０８５号（請求項１、請求項６）
【発明の概要】
【発明が解決しようとする課題】
【０００９】
本発明の目的は、閉塞部の圧力を安定させることができる陰圧治療装置を提供することにある。
【課題を解決するための手段】
【００１０】
本発明の陰圧治療装置は、創傷部を覆って閉塞部を形成する被覆材と、前記閉塞部から廃液が排出される吸引流路と、前記吸引流路を通じて廃液を吸引する吸引手段と、前記吸引流路の途中に配置され、廃液を収容する収容容器と、前記閉塞部の圧力を測定する圧力測定手段と、前記圧力測定手段で測定された圧力値から、閉塞部の圧力が目標値になるように吸引手段の吸引力を制御する制御手段と、前記圧力測定手段で測定された圧力値から第１所定時間内の圧力変動速度を算出し、該圧力変動速度と第１所定値を比較することにより圧力変動の有無を判断する変動有無判断手段と、前記変動有無判断手段により、圧力変動が無い状態から有る状態に変化したと判断された場合に、制御手段に対して吸引手段の吸引力を変更することを禁止する制御禁止手段とを備える。
【００１１】
創傷部が被覆材で覆われることで閉塞部になる。吸引手段は吸引流路を介して閉塞部を吸引し、廃液を吸引流路に排出させ、収容容器に収容する。センシング流路を介して閉塞部の圧力を測定し、閉塞部が目標値になるように制御手段で吸引手段の吸引力を制御する。変動有無判断手段は、圧力変動速度を第１所定値と比較して圧力変動の有無を判断する。圧力変動が無い状態から有る状態に変化したと判断された場合、制御禁止手段が制御手段に対して吸引手段の吸引力を変更することを禁止する。
【００１２】
前記変動有無判断手段における前記圧力変動速度の算出方法が、第１所定時間内における圧力値の最大値と最小値の差、または第１所定時間内の最初と最後の圧力値の差の絶対値のいずれかから算出する。
【００１３】
前記制御禁止手段により前記吸引手段の吸引力を変更することを禁止された後、前記圧力測定手段で測定された圧力値が、第２所定時間以上連続して前記目標値よりも前記第２所定値以上外れている場合、または前記目標値から一定値以上離れた場合に、前記制御禁止手段による禁止を解除する解除手段を備える。目標値から一定値以上離れたときに制御禁止を解除し、再び吸引手段が駆動する。
【００１４】
前記閉塞部を大気圧空間に対して遮断または開放し、前記制御手段によって開閉が制御される開放弁を備え、前記制御禁止手段は、前記変動有無判断手段により、圧力変動が無い状態から有る状態に変化したと判断された場合に、前記制御手段に対して開放弁を開閉することを禁止する。開放弁の開閉が前記制御手段によって制御され、圧力変動が生じると、その後の開閉が禁止される。
【００１５】
解除手段は、前記制御禁止手段により前記吸引手段の吸引力を変更することを禁止、前記開放弁を開閉することを禁止、またはその両方が禁止された後、前記圧力測定手段で測定された圧力値が、第２所定時間以上連続して前記目標値よりも前記第２所定値以上外れている場合、または前記目標値から一定値以上離れた場合に、前記制御禁止手段による禁止を解除しても良い。目標値から一定値以上離れたときに制御禁止を解除し、再び開放弁が開閉可能になる。
【００１６】
前記創傷部に供給される液体が入れられた液体容器と、前記液体容器から閉塞部へ液体が流れる供給流路とを備えても良い。創傷部に液体を供給しながら陰圧治療する。
【発明の効果】
【００１７】
本発明は、閉塞部の圧力に急激な圧力変動が発生しても、すぐさま吸引手段が吸引力を変動させたり、開放弁が開放されたりすることはない。一時的な圧力変動に過敏に反応しないため、圧力値を安定させることができる。
【００１８】
一時的な圧力変動ではない場合は、吸引手段と開放弁とが制御されるため、閉塞部を目標値にすることができ、所望の治療をおこなえる。圧力値を安定させながら、所望の治療が可能である。
【図面の簡単な説明】
【００１９】
【図１】本発明の陰圧治療装置の構成を示す図である。
【図２】縦軸を圧力、横軸を時間とした閉塞部の圧力変動を示す図であり、（ａ）は圧力が安定している状態の図であり、（ｂ）は一時的な圧力変動の図であり、（ｃ）は徐々に圧力が陽圧側に変動する図であり、（ｄ）は大きく陽圧側に圧力が変動する図である。
【図３】吸引手段と開放弁を制御してから制御禁止を解除するまでのフローチャートである。
【図４】閉塞部に大気を導入する機構を追加した陰圧治療装置の構成を示す図である。
【図５】液体を創傷部に供給するための構成を追加した陰圧治療装置の構成を示す図である。
【図６】従来の陰圧治療装置の構成を示す図である。
【発明を実施するための形態】
【００２０】
本発明の陰圧治療装置について図面を使用して説明する。
【００２１】
図１に示す本発明の陰圧治療装置１０は、創傷部１２を覆って閉塞部１４を形成する被覆材１６、閉塞部１４から廃液１８を排出するための吸引流路Ｔ１、吸引流路Ｔ１を通じて廃液１８を吸引するための吸引手段２０、廃液１８を収容する収容容器２２、閉塞部１４の圧力を測定する圧力測定手段ＰＳを備える。
【００２２】
被覆材１６は、創傷側に粘着層を備えた高分子フィルムなどの柔軟なフィルムである。被覆材１６は創傷部１２よりも面積を広くし、被覆材１６の周縁部が創傷部１２の周辺の皮膚に密着されることで、被覆材１６で覆われた空間が閉塞部１４になる。創傷部１２と被覆材１６の間にスポンジなどの柔軟性のある多孔質部材を配置して閉塞部１４を形成することが好ましい。
【００２３】
吸引手段２０は吸引流路Ｔ１を介して閉塞部１４を吸引するポンプである。ダイヤフラム式真空ポンプ、チューブポンプまたはベーンポンプなどが吸引手段２０として挙げられる。図２（ａ）に示すように、閉塞部１４の圧力が目標値Ｐ０になるように、吸引手段２０の吸引力は制御される。目標値Ｐ０は陰圧である。
【００２４】
吸引流路Ｔ１は、閉塞部１４から吸引手段２０まで通じるチューブである。吸引流路Ｔ１は患者の動作に合わせて動くことが可能な柔軟性のあるチューブで構成するのが好ましい。創傷部１２から生じた老廃物および滲出液は、吸引手段２０の吸引力によって閉塞部１４から吸引流路Ｔ１に排出される。
【００２５】
吸引流路Ｔ１の途中に、老廃物および滲出液を廃液１８として収容する収容容器２２を備える。収容容器２２は、密閉された容器であり、上部に吸引流路Ｔ１が通される。吸引流路Ｔ１のチューブを２本に分割し、各チューブを収容容器２２につなげても良い。
【００２６】
圧力測定手段ＰＳは圧力センサである。ステンレスダイヤフラム圧力センサまたはシリコンダイヤフラム圧力センサなどが圧力測定手段ＰＳとして挙げられる。センシング流路Ｔ２を通して閉塞部１４の圧力を圧力測定手段ＰＳにより測定でききる構成であればよい。
【００２７】
センシング流路Ｔ２は、閉塞部１４から圧力測定手段ＰＳまで通じるチューブである。センシング流路Ｔ２は、患者の動作に合わせて動くことが可能な柔軟性のチューブを使用するのが好ましい。センシング流路Ｔ２は直接閉塞部１４に接続されているが、吸引流路Ｔ１における閉塞部１４の付近からセンシング流路Ｔ２が分岐するような構成にしてもよい。
【００２８】
陰圧治療装置１０は閉塞部１４の圧力を目標値Ｐ０にするために、制御装置３６を備える。制御装置３６は、制御手段３８、変動有無判断手段４０、制御禁止手段４２および解除手段４４を備え、各手段３８、４０、４２、４４は後述するように機能するコンピュータまたはマイクロプロセッサなどである。
【００２９】
制御手段３８は、吸引手段２０の吸引力を制御する。制御手段３８は、圧力測定手段ＰＳで測定された圧力値から、閉塞部１４の圧力が目標値Ｐ０になるように吸引手段２０の吸引力を決定する。閉塞部１４の圧力が目標値Ｐ０よりも陽圧側であれば、目標値Ｐ０との差圧に応じて吸引手段２０の吸引力を変更し、目標値Ｐ０に到達すると吸引手段２０による吸引力を低下もしくは停止させる。その後、閉塞部１４のリークなどにより、閉塞部１４の圧力が陽圧側に変動していくと、この変動に応じて、吸引手段２０の吸引力を変更し、閉塞部１４の圧力を目標値Ｐ０に維持する。
【００３０】
変動有無判断手段４０は閉塞部１４の圧力変動速度を監視する。圧力測定手段ＰＳはたとえば１０ｍｓｅｃ〜５００ｍｓｅｃの任意の間隔で閉塞部１４の圧力値をサンプリングしており、変動有無判断手段４０はその圧力測定手段ＰＳで測定された直近の第１所定時間内の圧力値を用いて、閉塞部１４の圧力変動速度を算出する。たとえば第１所定時間は５００ｍｓｅｃ〜２ｓｅｃの間で任意に設定しても良い。圧力変動速度は直近の第１所定時間内における圧力の最大値と最小値の差から算出される。また、圧力変動速度は第１所定時間内の最初と最後の圧力の差の絶対値から算出しても良いし、圧力値の変化の微分値であっても良い。
【００３１】
変動有無判断手段４０は、圧力変動速度と第１所定値を比較し、圧力変動速度が第１所定値以上であった場合に、圧力変動有と判断する。変動有無判断手段４０は圧力測定手段ＰＳのサンプリング毎に圧力変動の有無を判断しても良いし、圧力測定手段ＰＳのサンプリング周期の整数倍毎に圧力変動の有無を判断しても良い。
【００３２】
第１所定値は、閉塞部１４のリークが無くまたは非常に小さく、長時間かけて徐々に陽圧側に変動する場合の圧力変動速度よりも速く、圧力変動が監視できる速度にする。一時的な圧力変動による圧力変動速度を見分けるためである。たとえば第１所定値は５〜３０ｃｍＨ２Ｏ／ｓｅｃである。
【００３３】
制御禁止手段４２は、圧力変動が無いと判断された状況において、圧力変動速度が第１所定値以上になり、変動有無判断手段４０により圧力変動が有ると判定された場合に、制御手段３８の上記制御を禁止し、吸引手段２０の吸引力を変更することを禁止する。図２（ｂ）のように、目標値Ｐ０に第２所定値を加減算した範囲（以下、所望の圧力範囲Ｐ１と呼ぶ）を超えて大きく圧力変動しても、閉塞部１４の位置の変化などによる一時的なものである可能性がある。図２（ｂ）のように、一時的に大きく波打つって符号ＰＸの付近のように圧力変動速度が第１所定値以上になった場合に、制御禁止手段４２が制御手段３８の制御を禁止することで、閉塞部１４の位置変化などによって一時的に波打つ圧力変動に対して過敏に反応させず、閉塞部１４の圧力を安定させることができる。所望の圧力範囲Ｐ１は、目標値Ｐ０と同等に陰圧治療ができる範囲である。
【００３４】
解除手段４４は、制御禁止手段４２によって制御手段３８の制御が禁止された後、その禁止を解除する。禁止を解除する条件は、（Ａ）図２（ｃ）のように、圧力測定手段ＰＳで測定された圧力値が、第２所定時間ｔ以上連続して所望の圧力範囲Ｐ１から外れている場合、または（Ｂ）図２（ｄ）のように、目標値Ｐ０から一定値Ｐ２以上離れている場合である。
【００３５】
上記（Ａ）の場合、閉塞部１４にリークが発生し、閉塞部１４に空気が入り込んでいるため、閉塞部１４の圧力が陽圧側に変動している。このままの状態が続くと、所望の圧力範囲Ｐ１から徐々に外れていき、所望の治療ができない。吸引手段２０による吸引力を上げて、目標値Ｐ０に戻す必要がある。第２所定時間ｔは、たとえば２秒以上である。
【００３６】
上記（Ｂ）の場合、閉塞部１４のリークが大きく、閉塞部１４の圧力が陽圧側へ大きく変動している。ただちに吸引力を上げて目標値Ｐ０に戻す必要がある。たとえば目標値Ｐ０から２０ｃｍＨ２Ｏ以上離れた場合を、上記（Ｂ）の目標値Ｐ０から一定値Ｐ２以上離れた場合とする。一定値Ｐ２はリークの大きさや治療継続の可否などの経験から任意に設定する。
【００３７】
上述した陰圧治療装置１０による閉塞部１４の圧力制御について順番に説明する。（１）被覆材１６で創傷部１２を覆い、閉塞部１４を形成する。その際、閉塞部１４には吸引流路Ｔ１とセンシング流路Ｔ２をつなぎ、閉塞部１４の吸引と圧力測定をできるようにする。閉塞部１４と各流路Ｔ１、Ｔ２のつなぎ方は、被覆材１６と皮膚の間に各流路Ｔ１、Ｔ２を通して閉塞部１４に入れる方法、被覆材１６に穴を開けて各流路Ｔ１、Ｔ２を閉塞部１４に入れる方法、または閉塞部１４の内外に通じる流路を備えたコネクタを被覆材１６に設け、そのコネクタに各流路Ｔ１、Ｔ２を接続する方法などが挙げられる。
【００３８】
（２）吸引手段２０が閉塞部１４を吸引し、閉塞部１４を陰圧にする。圧力測定手段ＰＳが閉塞部１４の圧力を測定し、目標値Ｐ０になるまで吸引する。目標値Ｐ０になれば、吸引手段２０は吸引力を低下もしくは停止する。閉塞部１４の圧力を目標値Ｐ０にすることによって、閉塞部１４から廃液１８が排出される。閉塞部１４を陰圧にすることで、創傷部１２およびその周囲の血流を増加させ、肉芽形成が促進されて創傷部治癒機能が回復し、創傷部１２の治療が早くなる。
【００３９】
（３）図３のように、制御手段３８は、圧力測定手段ＰＳで測定された圧力値に応じて吸引手段２０の吸引力を制御する（Ｓ１）。上記（２）で吸引手段２０の吸引力が低下もしくは停止すると、閉塞部１４のリークなどによって、閉塞部１４の圧力が目標値Ｐ０から陽圧側に変動する。陽圧側に変動する分を吸引することで、図２（ａ）に示すように、閉塞部１４の圧力をほぼ目標値Ｐ０で維持するようにする。
【００４０】
閉塞部１４のリークなどによって、閉塞部１４の圧力を目標値Ｐ０で常時一定にすることは難しいため、閉塞部１４の圧力が目標値Ｐ０を中心とした所望の圧力範囲Ｐ１に入るようにする。所望の圧力範囲Ｐ１は、目標値Ｐ０と同等に陰圧治療ができる範囲である。
【００４１】
（４）制御手段３８が吸引手段２０を制御しながら、変動有無判断手段４０は閉塞部１４の圧力変動速度を監視する（Ｓ２）。圧力変動速度は、第１所定時間内における圧力の最大値と最小値の差、または第１所定時間の最初と最後の圧力の差の絶対値から算出される。
【００４２】
（５）圧力変動速度が第１所定値以上になれば（Ｓ３）、変動有無判断手段４０は変動ありと判断する。変動のない状態から変動のある状態に変化すると、制御禁止手段４２は制御手段３８に対して吸引手段２０の吸引力の変更（制御）を禁止する（Ｓ４）。一時的な圧力変動に対して吸引手段２０が反応しないようにする。
【００４３】
従来技術で説明したように、一時的な圧力変動に応じて吸引手段２０を制御すると、閉塞部１４の圧力が安定しない。一旦吸引手段２０の制御を禁止し、その時の動作状態を維持する。圧力変動が起きる前の安定した状態では、吸引手段２０の吸引力は０またはほぼ０であり、その状態が維持される。
【００４４】
（６）上記（Ａ）または（Ｂ）の状態になっていることを検出すれば（Ｓ５、Ｓ６）、解除手段４４が吸引手段２０の制御禁止を解除する（Ｓ７）。所望の圧力範囲Ｐ１から外れたままであったり、一定値Ｐ２以上離れている場合に、閉塞部１４の圧力が目標値Ｐ０に戻るように吸引手段２０を駆動させる。閉塞部１４の圧力が目標値Ｐ０に戻ると、所望の治療がおこなわれる。
【００４５】
閉塞部１４にリークが無い、または非常に小さなリークの場合、一時的な圧力変動の後、元の状態に戻る。上記（Ａ）と（Ｂ）のいずれの状態にもならず、制御禁止が維持される（Ｓ８）。吸引手段２０の制御が禁止される直前は、吸引手段２０の吸引力は０または０に非常に近くなっており、その状態が維持される。
【００４６】
解除手段４４が動作しない場合、非常に小さなリークなどによって、閉塞部１４の圧力値は目標値Ｐ０から徐々に陽圧側に変動する。いずれは閉塞部１４の圧力値が、第２所定時間ｔ以上連続して所望の圧力範囲Ｐ１から外れるようになる。上記（Ａ）の場合になるため、解除手段４４が動作する。また、患者の動きなどによってリークが発生すると、ただちに上記（Ａ）または（Ｂ）の状態になり、解除手段４４が動作する。
【００４７】
以上のように、本発明の陰圧治療装置１０は、閉塞部１４の圧力が所望の圧力範囲Ｐ１で一旦安定すると、所望の圧力範囲Ｐ１から外れても、すぐさま吸引手段２０が吸引力を変動させることはない。一時的な圧力変動かリークによる恒常的な圧力変動であるかを見極めることができる。従来のように圧力変動に過敏に反応しないため、閉塞部１４の圧力値を安定させることができ、所望の治療をおこなえる。
【００４８】
以上、本発明について説明したが、本発明は上記の実施形態に限定されることはない。たとえば図４の陰圧治療装置３０のように、閉塞部１４が過剰に陰圧になった場合に、閉塞部１４に大気を導入する開放弁ＳＶを備えていても良い。大気導入流路Ｔ３は、閉塞部１４から開放弁まで通じるチューブである。本実施例では大気導入流路Ｔ３は、センシング流路Ｔ２から分岐しているが、吸引流路Ｔ１から分岐させても、直接閉塞部１４に接続されていてもよい。
【００４９】
開放弁ＳＶは、レリーフバルブや電磁バルブなどが挙げられる。開放弁ＳＶは、閉塞部１４を大気圧空間に対して開放または遮断する弁である。開放弁ＳＶは、閉塞部１４の圧力が過陰圧になっていなければ、閉塞部１４を大気圧空間に対して遮断している。閉塞部１４の圧力が過陰圧になると、開放弁ＳＶを開け、大気導入流路Ｔ３を介して閉塞部１４を昇圧させることができる。
【００５０】
制御手段３８は、吸引手段２０の制御以外に、開放弁ＳＶの開閉も制御する。閉塞部１４の圧力が過陰圧になった場合、目標値Ｐ０になるように開放弁ＳＶを開放する。開放弁ＳＶを開放するのは、一定以上の過陰圧になったときである。一定以上の過陰圧は、所望の圧力範囲Ｐ１から陰圧側に外れた場合でもよいし、別の所定値を設けてもよい。創傷部１２の部位、治癒の程度などに応じて、創傷部に傷を与えないように任意に設定してもよい。
【００５１】
開放弁ＳＶにおいても、一時的な圧力変動に反応して開放弁ＳＶを開放すると、閉塞部１４の圧力値を安定させるのに時間を要する。そこで、上記の禁止手段４２が吸引手段２０の吸引力を変更することを禁止すると同時に、開放弁ＳＶの開放を禁止する。これにより、陰圧側、陽圧側のどちらに変動しても安定した圧力制御が実現できる。
【００５２】
上記の制御解除手段４４は、解除する条件として上記（Ａ）と（Ｂ）があるが、（Ａ）と（Ｂ）は陽圧側に変動した場合以外に、陰圧側に変動した場合も含む。所定の圧力範囲Ｐ１と異なって過陰圧の状態が続く場合、または目標値Ｐ０から一定値Ｐ２以上過陰圧になった場合に、制御解除手段４４は禁止を解除し、制御手段３８が開放弁ＳＶを開放させて、閉塞部１４の圧力を目標値Ｐ０まで戻す。
【００５３】
なお、図４の陰圧治療装置３０は吸引手段２０と開放弁ＳＶの両方の制御、その制御の禁止および解除であったが、吸引手段２０のみまたは開放弁ＳＶのみの制御、制御禁止および解除も本願の技術的思想に含まれる。
【００５４】
本発明はさらに、たとえば図５の陰圧治療装置５０のように、創傷部１２に液体５２を供給する構成が追加されても良い。陰圧治療装置５０は、図１の陰圧治療装置１０に、液体５２、液体５２を貯留する液体容器５４、液体容器５４から閉塞部１４に液体５２を供給するための供給流路Ｔ４を備える。
【００５５】
液体容器５４に貯留される液体５２は、創傷部１２の洗浄、治療または合併症予防などの液体である。例えば、生理食塩水などが挙げられる。液体容器５４は、液体の減少により変形可能な樹脂製の容器が好ましい。閉塞部１４が陰圧であるため、閉塞部１４よりも液体容器４５の位置を高くし、供給流路Ｔ４に流量調節弁を設けることで、閉塞部１４に液体５２を供給することができる。また、供給流路Ｔ４に定量ポンプを設けて、液体５２の供給量を調節しても良い。
【００５６】
供給流路Ｔ４は、液体容器５４から閉塞部１４まで通じるチューブである。供給流路Ｔ４は他の流路Ｔ１、Ｔ２、Ｔ３と同様に、患者の動きに合わせて動く柔軟性のあるチューブが好ましい。吸引される廃液１８には、創傷部１２から出た老廃物や滲出液に使用済みの液体５２が混ざる。
【００５７】
本構成の陰圧治療装置５０であっても、閉塞部１４の圧力が目標値Ｐ０になるように、圧力測定手段ＰＳで測定される圧力値に基づいて、吸引手段２０の吸引力が制御される。変動有無判断手段４０で変動ありと判断され、変動のない状態から変動のある状態に変化すると、制御禁止手段４２により吸引手段２０と開放弁ＳＶの制御が禁止される。上記（Ａ）または（Ｂ）の状態になると、解除手段４４によりそれらの禁止が解除され、目標値Ｐ０になるように制御手段３８が吸引手段２０と開放弁ＳＶの制御を再開する。
【００５８】
図５の陰圧治療装置５０においても、図４の陰圧治療装置３０のように、大気導入流路Ｔ３と開放弁ＳＶを設け、閉塞部１４が過陰圧の場合に、閉塞部１４を昇圧できるようにしても良い。この場合に、図４の陰圧治療装置３０のように、開放弁ＳＶの開閉が制御、制御禁止および解除されるようにする。
【００５９】
上記の陰圧治療装置１０、３０、５０に、収容容器２２の圧力を測定する手段を設け、閉塞部１４の圧力と収容容器２２の圧力を用いて、吸引力を決定しても良い。収容容器２２を大気開放するための弁を設け、吸引流路Ｔ１のつまりが生じたときに、収容容器２２を大気開放できるようにしても良い。
【００６０】
禁止を解除する条件として、陰圧治療装置１０、３０、５０の運転を停止させたときを含めても良い。陰圧治療装置１０、３０、５０の停止の際に禁止を解除し、再び起動させたときに、禁止が解除された状態で起動される。
【００６１】
禁止手段４２が動作した後、すぐに上記（Ａ）または（Ｂ）の状態になり、解除手段４４が動作する場合、閉塞部１４にリークが生じている可能性が高い。そのため、異常を知らせる警報手段を備えてもよい。禁止手段４２が動作した後、すぐに上記（Ａ）または（Ｂ）の状態になった場合、警報手段が異常を知らせる。異常を知らせる方法としては、医師と看護師の携帯無線装置に異常情報を送信すること、陰圧治療装置１０、３０、５０のモニタに異常情報を表示すること、警報音を発することが挙げられる。
【００６２】
その他、本発明は、その主旨を逸脱しない範囲で当業者の知識に基づき種々の改良、修正、変更を加えた態様で実施できるものである。
【符号の説明】
【００６３】
１０、３０、５０：陰圧治療装置
１２：創傷部
１４：閉塞部
１６：被覆材
１８：廃液
２０：吸引手段
２２：収容容器
３６：制御装置
３８：制御手段
４０：変動有無判断手段
４２：制御禁止手段
４４：解除手段
５２：液体
５４：液体容器
Ｔ１：吸引流路
Ｔ２：センシング流路
Ｔ３：大気導入流路
Ｔ４：供給流路
ＰＳ：圧力測定手段
ＳＶ：開放弁
【図１】
2016043178.tif 000003
【図２】
2016043178.tif 000004
【図３】
2016043178.tif 000005
【図４】
2016043178.tif 000006
【図５】
2016043178.tif 000007
【図６】
2016043178.tif 000008